(57)【要約】【課題】ペアレンタルコントロールの回避を抑制することを課題とする。【解決手段】監視装置は、携帯端末からネットワークを利用する機能に関する処理について遠隔操作の要求を受け付けた場合に、該携帯端末に対応する仮想携帯端末での動作の記録を開始する。このとき、監視装置は、動作の記録データを動作記録蓄積データベース等の所定の記憶装置に格納する。また、監視装置は、仮想携帯端末での動作の記録の開始とともに、仮想携帯端末に対して遠隔操作に対するセッションの起動を命令する。また、監視装置は、携帯端末から遠隔操作の停止要求を受け付けた場合に、仮想携帯端末での動作の記録を終了する。その後、情報処理装置は、動作記録蓄積データベースに格納された動作記録を取得し、携帯端末のネットワークの利用履歴を表示部等に表示出力する。【選択図】図１
2012049690.tif 000002
【特許請求の範囲】
【請求項１】
外部装置によって遠隔操作される該外部装置に対応する仮想外部装置を監視する監視装置であって、
前記外部装置から遠隔操作の要求を受け付けた場合に、前記仮想外部装置での動作の記録を開始する動作記録開始部と、
前記動作記録開始部による記録の開始とともに、前記仮想外部装置に対して前記遠隔操作に対するセッションの起動を命令する起動命令部と、
前記外部装置から遠隔操作の停止要求を受け付けた場合に、前記仮想外部装置での動作の記録を終了する動作記録終了部と
を有することを特徴とする監視装置。
【請求項２】
前記動作記録終了部は、前記外部装置から遠隔操作の停止要求を受け付けた場合に、前記仮想外部装置に対して前記遠隔操作に対するセッションの停止を命令するとともに、前記仮想外部装置での動作の記録を終了することを特徴とする請求項１に記載の監視装置。
【請求項３】
前記動作記録開始部は、記録された動作記録を所定の記憶部に格納することを特徴とする請求項１又は２に記載の監視装置。
【請求項４】
外部装置によって遠隔操作される該外部装置に対応する仮想外部装置を監視する監視装置で実行される監視方法であって、
前記外部装置から遠隔操作の要求を受け付けた場合に、前記仮想外部装置での動作の記録を開始する動作記録開始ステップと、
前記動作記録開始ステップによる記録の開始とともに、前記仮想外部装置に対して前記遠隔操作に対するセッションの起動を命令する起動命令ステップと、
前記外部装置から遠隔操作の停止要求を受け付けた場合に、前記仮想外部装置での動作の記録を終了する動作記録終了ステップと
を含んだことを特徴とする監視方法。
【発明の詳細な説明】
【技術分野】
【０００１】
本発明は、監視装置及び監視方法に関する。
【背景技術】
【０００２】
近年、携帯電話機等の携帯端末は、何時でもどこに居ても保護者と連絡をとれる利便性から未成年者にも普及しつつある。ところが、利便性の反面で、未成年者による携帯端末の利用においては、未成年者にとって好ましくないＷｅｂコンテンツ等の種々の情報を要因として、未成年者が犯罪に巻き込まれる可能性がある。
【０００３】
このため、最近では、未成年者による携帯端末の利用を保護者が監視するペアレンタルコントロールが広がりつつある。ペアレンタルコントロールは、例えば、未成年者の携帯端末によるＷｅｂコンテンツへのアクセス履歴や電子メールの送受信履歴等を、保護者がＰＣ（Personal  Computer）等から閲覧・監視するものである。
【先行技術文献】
【非特許文献】
【０００４】
【非特許文献１】NTT  docomo，“iモードアクセス履歴検索サービス”，［online］，［平成２２年５月２５日検索］，インターネット＜http://www.nttdocomo.co.jp/charge/online/log/＞
【発明の概要】
【発明が解決しようとする課題】
【０００５】
しかしながら、上述した従来技術では、ペアレンタルコントロールが回避されてしまうという課題がある。具体的には、従来技術に係るペアレンタルコントロールは、デフォルトのＷｅｂブラウザ等の特定のアプリケーションを想定しており、該特定のアプリケーションに対してのみ監視するため、ペアレンタルコントロールが回避されてしまう。換言すると、従来技術では、ペアレンタルコントロールを監視できないアプリケーションがインストールされた携帯端末によるＷｅｂコンテンツへのアクセスまで監視することができない。
【０００６】
そこで、本願に開示する技術は、上記に鑑みてなされたものであって、ペアレンタルコントロールの回避を抑制することが可能である監視装置及び監視方法を提供することを目的とする。
【課題を解決するための手段】
【０００７】
上述した課題を解決し、目的を達成するため、本願に開示する監視装置は、外部装置によって遠隔操作される該外部装置に対応する仮想外部装置を監視する監視装置であって、前記外部装置から遠隔操作の要求を受け付けた場合に、前記仮想外部装置での動作の記録を開始する動作記録開始部と、前記動作記録開始部による記録の開始とともに、前記仮想外部装置に対して前記遠隔操作に対するセッションの起動を命令する起動命令部と、前記外部装置から遠隔操作の停止要求を受け付けた場合に、前記仮想外部装置での動作の記録を終了する動作記録終了部とを有する。
【０００８】
また、本願に開示する監視方法は、外部装置によって遠隔操作される該外部装置に対応する仮想外部装置を監視する監視装置で実行される監視方法であって、前記外部装置から遠隔操作の要求を受け付けた場合に、前記仮想外部装置での動作の記録を開始する動作記録開始ステップと、前記動作記録開始ステップによる記録の開始とともに、前記仮想外部装置に対して前記遠隔操作に対するセッションの起動を命令する起動命令ステップと、前記外部装置から遠隔操作の停止要求を受け付けた場合に、前記仮想外部装置での動作の記録を終了する動作記録終了ステップとを含む。
【発明の効果】
【０００９】
本願に開示する監視装置及び監視方法の一つの様態によれば、ペアレンタルコントロールの回避を抑制することができるという効果を奏する。
【図面の簡単な説明】
【００１０】
【図１】図１は、本実施例に係る監視システムの全体構成の例を示す図である。
【図２】図２は、本実施例に係る監視装置の構成例を示す図である。
【図３】図３は、本実施例に係る全体処理の流れの例を示す処理シーケンス図である。
【発明を実施するための形態】
【００１１】
以下に添付図面を参照して、本願に開示する監視装置及び監視方法の実施例を説明する。なお、以下の実施例により本発明が限定されるものではない。
【実施例】
【００１２】
［監視システムの全体構成］
最初に、図１を用いて、本実施例に係る監視システムの全体構成を説明する。図１は、本実施例に係る監視システムの全体構成の例を示す図である。
【００１３】
例えば、図１に示すように、監視システムは、携帯端末１０と、仮想携帯端末２０と、動作記録蓄積データベース３０と、情報処理装置４０と、監視装置１００とを有する。このうち、仮想携帯端末２０、動作記録蓄積データベース３０及び監視装置１００は、データセンタに含まれる。また、仮想携帯端末２０及び監視装置１００は、データセンタの仮想化環境に含まれる。なお、仮想携帯端末は、各携帯端末に対応して複数存在するが、以下では、仮想携帯端末の１つである仮想携帯端末２０を例に挙げて説明する。
【００１４】
上記構成において、携帯端末１０は、例えば、通話や各種通信等を行なう携帯電話機等の携帯端末であり、シンクライアント処理部１１と、音声通話処理部１２とを有する。また、本願では、携帯端末１０の利用者を例えば未成年者であることを想定している。
【００１５】
シンクライアント処理部１１は、携帯端末１０における音声通話以外で、ネットワークを利用する各種機能に関する処理を、遠隔操作によりデータセンタに含まれる仮想化環境で実行させる。具体的には、シンクライアント処理部１１は、電子メール、Ｗｅｂコンテンツの閲覧、ゲーム、チャット及び所定のアプリケーション等のネットワークを利用する各種機能に関する処理を、遠隔操作により実行させる。
【００１６】
例えば、シンクライアント処理部１１は、上記の各種機能に関する処理を仮想化環境で実行させる場合に、監視装置１００に対して遠隔操作要求を送信する。そして、シンクライアント処理部１１は、遠隔操作要求に対する応答を受信した後、仮想携帯端末２０に対して各種機能に関する処理の遠隔操作を実行する。また、シンクライアント処理部１１は、遠隔操作で実行している処理を終了する場合に、監視装置１００に対して遠隔操作を停止する旨を送信して、遠隔操作を終了する。なお、遠隔操作についてシンクライアント処理部１１は、例えば、ＶＮＣ（Virtual  Network  Computing）等の画面転送プロトコルを利用し、仮想化環境に様々なイベント（キー、タッチスクリーン、センサ等）を通知する。
【００１７】
すなわち、携帯端末１０は、仮想化環境を利用してシンクライアント化されているため、該携帯端末１０によって本来実行されるネットワークを利用する各種処理は、実際にはデータセンタの仮想化環境で実行されることとなる。携帯端末１０は、仮想化環境での処理結果画面を受け取り、該携帯端末１０上で結果画面の更新を行なう。なお、携帯端末の各種処理を仮想化環境で実行する技術については、例えば、“「Virtual  Smartphone  over  IP技術」，NTT技術ジャーナル，Vol．22，No．3，pp．45‐48，2010．”を参照すること。
【００１８】
音声通話処理部１２は、例えば、携帯端末１０のアンテナ（図示せず）等を介して他の携帯端末との音声通話に係る処理を実行する。携帯端末１０による音声通話は、図１に示すように、仮想化環境を経由せずに該携帯端末１０で処理される。
【００１９】
仮想携帯端末２０は、例えば、携帯端末１０から画面転送プロトコル経由で操作され、該携帯端末１０のネットワークに関する各種処理を実行するとともに、監視装置１００による動作記録の取得要求に対して動作記録を送信する。かかる動作記録とは、画面、キー入力及びインターネットアクセス等の動作に関する記録の情報である。この仮想携帯端末２０は、例えば、ネットワーク処理部２１を有する。ネットワーク処理部２１は、例えば、シンクライアント処理部１１からの遠隔操作を受け付けるとインターネットに接続して、ネットワークに関する各種処理を実行し、処理結果を該シンクライアント処理部１１に通知する。
【００２０】
監視装置１００は、仮想携帯端末を監視するＶＭＭ（Virtual  Machine  Monitor）である。具体的には、監視装置１００は、シンクライアント処理部１１から遠隔操作要求を受け付けた場合に、携帯端末１０に対応する仮想携帯端末である仮想携帯端末２０の動作の記録を開始するとともに、該仮想携帯端末２０に遠隔操作セッションの起動を命令する。そして、監視装置１００は、遠隔操作セッション起動を命令すると、シンクライアント処理部１１に対して遠隔操作要求に対する応答を送信する。
【００２１】
このとき、監視装置１００は、仮想携帯端末２０の動作の記録データを動作記録蓄積データベース３０に格納する。動作記録蓄積データベース３０に格納される記録データは、例えば、画面、キー入力及びインターネットアクセス等の動作記録を動画形式等で記録（録画）した記録データである。また、監視装置１００は、シンクライアント処理部１１から遠隔操作の停止要求を受け付けた場合に、仮想携帯端末２０の動作の記録を終了する。
【００２２】
動作記録蓄積データベース３０は、例えば、仮想携帯端末２０で実行された動作の記録データを記憶する。情報処理装置４０は、例えば、動作記録蓄積データベース３０へのアクセス権限が付与されたＰＣ等であり、任意にアクセスして動作記録を取得し、携帯端末１０のネットワークの利用状況を表示部に出力する。また、本願では、情報処理装置４０の利用者を例えば携帯端末１０を利用する未成年者の保護者であることを想定している。つまり、保護者は、情報処理装置４０を適宜利用して、子供の携帯電話機のネットワークに関する利用履歴を閲覧及び把握する。
【００２３】
［監視装置の構成］
次に、図２を用いて、本実施例に係る監視装置１００の構成を説明する。図２は、本実施例に係る監視装置１００の構成例を示す図である。例えば、図２に示すように、監視装置１００は、携帯端末等の外部装置によって遠隔操作される該携帯端末に対応する仮想携帯端末を監視するＶＭＭであり、記憶部１１０と制御部１２０とを有する。
【００２４】
記憶部１１０は、例えば、制御部１２０による各種処理に要するデータや、制御部１２０による各種処理結果を記憶する。なお、図１に示した動作記録蓄積データベース３０は、記憶部１１０に含まれていても良いし、監視装置１００の外部に配置されていても良い。
【００２５】
制御部１２０は、例えば、制御プログラム、各種の処理手順等を規定したプログラム及び所要データを格納するための内部メモリを有するとともに、動作記録開始部１２１と、起動命令部１２２と、動作記録終了部１２３とを有する。
【００２６】
動作記録開始部１２１は、例えば、携帯端末から遠隔操作の要求を受け付けた場合に、該携帯端末に対応する仮想携帯端末での動作の記録を開始する。このとき、動作記録開始部１２１は、仮想携帯端末の動作の記録データを記憶部１１０又は外部の記憶装置に格納する。
【００２７】
起動命令部１２２は、例えば、動作記録開始部１２１による記録の開始とともに、仮想携帯端末に対して遠隔操作に対するセッションの起動を命令する。なお、起動命令部１２２は、遠隔操作セッションの起動を命令した場合に、携帯端末に対して遠隔操作要求に対する応答を送信する。
【００２８】
動作記録終了部１２３は、例えば、携帯端末から遠隔操作の停止要求を受け付けた場合に、仮想携帯端末での動作の記録を終了する。このとき、動作記録終了部１２３は、動作の記録の終了とともに、仮想携帯端末に対して遠隔操作に対するセッションの停止を命令する。なお、動作記録終了部１２３は、遠隔操作セッションの停止を命令した場合に、携帯端末に対して遠隔操作の停止要求に対する応答を送信する。
【００２９】
［処理シーケンス］
次に、図３を用いて、本実施例に係る全体処理を説明する。図３は、本実施例に係る全体処理の流れの例を示す処理シーケンス図である。なお、図３では、携帯端末１０と、監視装置１００と、仮想携帯端末２０と、情報処理装置４０とを示している。
【００３０】
例えば、図３に示すように、携帯端末１０は、音声通話以外のネットワーク機能を利用する際に、該携帯端末１０に対応する仮想携帯端末２０を監視する監視装置１００に対して、遠隔操作要求を送信する（ステップＳ１０１）。遠隔操作要求を受信した監視装置１００は、仮想携帯端末２０の動作の記録を開始する（ステップＳ１０２）。
【００３１】
このとき、監視装置１００は、仮想携帯端末２０に遠隔操作セッションの起動を命令する（ステップＳ１０３）。なお、監視装置１００は、仮想携帯端末２０からセッション起動に対する応答を受け付けると、携帯端末１０に対して遠隔操作要求の応答を送信する。つまり、携帯端末１０は、監視装置１００からの応答を受け付けてから遠隔操作が可能となる。
【００３２】
その後、携帯端末１０は、仮想携帯端末２０に対して、ネットワークを利用する各種機能に関する遠隔操作を実行する（ステップＳ１０４）。遠隔操作を受け付けた仮想携帯端末２０は、該当する機能に関する処理を実行するとともに、監視装置１００に対して動作記録のデータを送信する（ステップＳ１０５）。動作記録のデータを受信した監視装置１００は、受信された動作記録のデータを動作記録蓄積データベース３０等の所定の記憶装置に格納する（ステップＳ１０６）。
【００３３】
また、携帯端末１０は、ネットワーク機能の利用を中止する際に、監視装置１００に対して遠隔操作の停止の旨を送信する（ステップＳ１０７）。遠隔操作停止の旨を受信した監視装置１００は、仮想携帯端末２０の動作の記録を停止する（ステップＳ１０８）。このとき、監視装置１００は、動作の記録の停止とともに、仮想携帯端末２０に対して遠隔操作に対するセッションの停止を命令し、携帯端末１０に対して遠隔操作の停止要求に対する応答を送信する。
【００３４】
また、情報処理装置４０は、任意のタイミングで監視装置１００又は動作記録蓄積データベース３０にアクセスして、携帯端末１０に対応する動作記録を取得する（ステップＳ１０９）。なお、情報処理装置４０は、取得された動作記録について、携帯端末１０のネットワークの利用状況として表示部に出力する。
【００３５】
［実施例による効果］
上述したように、監視装置１００は、携帯端末によって遠隔操作される仮想携帯端末上で実行されるネットワークを利用する各種機能について、動作記録を保存するので、携帯端末上での特定のアプリケーションによる実行のみを監視する従来技術と比較して、ペアレンタルコントロールの回避を抑制することができる。
【００３６】
なお、上記文書中や図面中などで示した処理手順、制御手順、具体的名称、各種のデータやパラメータなどを含む情報（例えば、動作記録蓄積データベース３０の具体的名称等）については、特記する場合を除いて任意に変更することができる。
【００３７】
また、図示した各装置の各構成要素は、機能概念的なものであり、必ずしも物理的に図示の如く構成されていることを要しない。すなわち、各装置の分散・統合の具体的形態は、図示のものに限られず、その全部または一部を各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【産業上の利用可能性】
【００３８】
以上のように、本発明に係る監視装置及び監視方法は、外部装置によって遠隔操作される該外部装置に対応する仮想外部装置を監視する場合に有用であり、特に、ペアレンタルコントロールの回避を抑制することに適する。
【符号の説明】
【００３９】
１００  監視装置
１１０  記憶部
１２０  制御部
１２１  動作記録開始部
１２２  起動命令部
１２３  動作記録終了部
【図１】
2012049690.tif 000003
【図２】
2012049690.tif 000004
【図３】
2012049690.tif 000005